(57)【特許請求の範囲】
【請求項１】
容器の軸心に対して偏心した方向にエアゾール組成物を噴射するエアゾール製品と、
そのエアゾール製品の底部に取り付ける回転台とからなり、
前記エアゾール製品の操作部が、一旦操作すると噴射が継続するロック機構を備えており、
前記回転台が、容器の外周縁の近辺に沿って配列される複数の転動体を有するスラストタイプのベアリング構造を備えたものであり、前記容器の下端と嵌合する回転部材と、前記転動体を介して回転部材を支持する支持部材とを有し、
前記回転部材が、前記容器の外周縁の下端と嵌合する嵌合部と、その下方に設けられ転動体の上面と当接する環状溝を備えた転動面と、転動面の外側から下方に延びる外筒とを備えたリング状の形態を有し、
前記支持部材が、環状の支持面と、その支持面の上部に設けられ、前記転動体を転動させる段部と、その段部の内側より立ち上がる内筒とを備えたリング状の形態を有し、
前記段部と転動面との間に、転動体同士の間隔を維持するリテーナを備えている、
回転式エアゾール製品。
【請求項２】
前記回転部材または支持部材のいずれか一方に環状突起が設けられ、他方にその環状突起と隙間をあけて係合する係合突起が設けられている、請求項１記載の回転式エアゾール製品。
【請求項３】
前記エアゾール製品の操作部が、操作した後、所定の時間後に噴射が開始する遅延機構を備えている、請求項１記載の回転式エアゾール製品。
【発明の詳細な説明】
【０００１】
【発明の属する技術分野】
本発明は回転式エアゾール製品およびそれに用いる回転台に関する。
【０００２】
【従来の技術】
実公昭５６−１１９６２号公報には、エアゾールの噴射によって生ずる反作用力を利用してエアゾール容器を回転させ、室内空間などに連続的かつ均一に噴射しうる回転式エアゾール製品が開示されている。このものは図８に示すように、中心に軸１０１を立設した円板状の支持台１０２と、容器１０３の下端を受ける椀状の受け部１０４と、その受け部１０４の下面に設けた円筒状の突起１０５と軸１０１との間に介在させたベアリング１０６とを備えた回転台１０７を備えている。
【０００３】
【発明が解決しようとする課題】
前記従来の回転式のエアゾール製品では、軸１０１の周囲にベアリング１０６を嵌合する構成を採用しているため、汎用のラジアルタイプのボールベアリングを採用することができ、しかも小径のボールベアリングを採用することができ、そのため高速回転にも充分に対応しうる。しかし容器１０３内には液状のエアゾール組成物が充填されているので、容器１０３が回転するとエアゾール組成物が粘性抵抗により次第に追従して回転し、想像線Ｓで示すように遠心力で内容物１０８が外側に移動する。エアゾール製品が全量噴射型である場合、エアゾール組成物を噴射しながら回転し続けるため、製品重量は常に減少し、安定して回転できない。そのため、とくに内容物の量が多い始めのうちは、容器内で揺れて不安定であり、逆に内容物がほとんどなくなると回転が速くなって振動する。そのため振動で回転台１０７が移動したり、倒れるおそれがあり、エアゾール組成物を処理したい空間内で充分に拡散させることができず、所望の効果が得られない。
【０００４】
本発明は内容物が多いときでも安定して回転する回転式エアゾール製品およびそのような回転式エアゾール製品に用いる回転台を提供することを技術課題としている。
【０００５】
【課題を解決するための手段】
本発明の回転式エアゾール製品（請求項１）は、容器の軸心に対して偏心した方向にエアゾール組成物を噴射するエアゾール製品と、そのエアゾール製品の底部に取り付ける回転台とからなり、前記エアゾール製品の操作部が、一旦操作すると噴射が継続するロック機構を備えており、前記回転台が、容器の外周縁の近辺に沿って配列される複数の転動体を有するスラストタイプのベアリング構造を備え、前記容器の下端と嵌合する回転部材と、前記転動体を介して回転部材を支持する支持部材とを有しており、前記回転部材が、前記容器の外周縁の下端と嵌合する嵌合部と、その下方に設けられ転動体の上面と当接する環状溝を備えた転動面と、転動面の外側から下方に延びる外筒とを備えたリング状の形態を有し、前記支持部材が、環状の支持面と、その支持面の上部に設けられ、前記転動体を転動させる段部と、その段部の内側より立ち上がる内筒とを備えたリング状の形態を有し、前記段部と転動面との間に、転動体同士の間隔を維持するリテーナを備えていることを特徴としている。
【０００７】
このような回転式エアゾール製品において、前記回転部材または支持部材のいずれか一方に環状突起が設けられ、他方にその環状突起と隙間をあけて係合する係合突起が設けられているものが好ましい（請求項２）。さらに前記エアゾール製品の操作部に、操作した後、所定の時間後に噴射が開始する遅延機構を設けるのが好ましい（請求項３）。
【０００９】
【作用および発明の効果】
本発明の回転式エアゾール製品（請求項１）では、容器の外周縁の近辺に沿って複数の転動体が設けられているので、重量が加わる部位を直接支えることができる。さらに広い範囲で容器の重量を受けるので、エアゾール製品の内容物が振動でずれても、その重心は環状に配列された転動体の中心近辺から大きく外れず、安定して支持することができる。そのためエアゾール製品は安定して回転し、エアゾール組成物を広範囲に拡散させることができる。また、回転台が回転部材と、転動体を介して回転部材を支持する支持部材とを有するスラストタイプのベアリング構造を備えているため、エアゾール製品の重量が複数の転動体に平均して伝わり、さらにその重量は安定してその下部に伝わる。したがって、エアゾール製品は一層安定して回転する。また上向きに噴射させる場合、その反力は下向きに加わるが、スラストタイプのベアリングにより、その反力をしっかりと保持しうる。
【００１０】
また、支持部材が、環状の支持面と、転動体を転動させる段部と、その段部の内側より立ち上がる内筒とを備えたリング状の形態を有し、回転部材が、容器の下端と嵌合する嵌合部と、転動体の上面と当接する環状溝を備えた転動面と、転動面の外側から下方に延びる外筒とを備えたリング状の形態を有し、前記段部と転動面との間に、転動体同士の間隔を維持するリテーナを備えているため、回転支持機能を損なわずに回転台の重量を軽減することができる。さらに内筒と外筒とで転動体を保護することができる。
【００１１】
また、回転部材または支持部材のいずれか一方に環状突起が設けられ、他方にその環状突起と隙間をあけて係合する係合突起が設けられている場合（請求項２）は、支持部材と回転部材とが分離しないので、持ち運びが容易である。さらにエアゾール製品の操作部に、操作した後、所定の時間後に噴射が開始する遅延機構を設ける場合（請求項３）は、噴射が開始する前に使用者が待避できるので、使用者にエアゾール組成物がかかることを防止しうる。
【００１３】
【発明の実施の形態】
つぎに図面を参照しながら本発明の回転式エアゾール製品および回転台の実施の形態を説明する。図１は本発明の回転式エアゾール製品の一実施形態を示す一部切り欠き正面図、図２ａおよび図２ｂはそれぞれ本発明の回転台の一部切り欠き平面図および正面断面図、図３、図４ａ、図４ｂ、図４ｃ、図５ａおよび図５ｂはそれぞれ本発明の回転台の他の実施形態を示す要部断面図、図６は本発明の回転式エアゾール製品の他の実施形態を示す断面図、図７ａ、図７ｂおよび図７ｃは本発明の回転台のさらに他の実施形態を示す要部断面図、図７ｄは本発明の回転式エアゾール製品のさらに他の実施形態を示す平面図である。
【００１４】
図１に示す回転式エアゾール製品１０は、エアゾール製品１１と、そのエアゾール製品の底部に取り付けた回転台１２とからなる。エアゾール製品１１は従来の回転式のエアゾール製品と実質的に同じものであり、容器１４と、その容器の上部に固定したバルブ１５と、バルブのステム１６に嵌合させたボタン１７とを備えている。容器１４は手に持って噴射するエアゾール製品に比して高さを低く、径を大きくするのが好ましく、その場合は回転時に一層安定する。容器１４の内部には、原液と噴射剤とからなるエアゾール組成物が充填されている。前記ボタン１７は、斜め上の方向で容器１４の半径から偏心した方向を向いているノズル１８を有する。また、エアゾール組成物を全量噴射できるように、ボタン１７とバルブ１５との間には、ボタン１７を押し込んだとき、その押し込んだ状態を維持するための従来公知のロック機構が設けられている。そのようなロック機構は、たとえばボタン１７に設けた係止片１７ａと、そのボタンを揺動自在に支持するカバー１７ｂに設けた係合部１７ｃとによって構成しうる。
【００１５】
なおこの実施形態では、容器１４は、円筒状の胴部１９と、その上端に巻き締め部２０により固定したドーム２１と、胴部１９の下端に巻き締め部２２により固定した底部２３とからなる、いわゆるスリーピース缶である。前記バルブ１５はドーム２１にクリンプされている。底部２３は中央が上方に湾曲しており、胴部と底部を結合する巻き締め部２２は環状を呈し、下方に突出している。さらに巻き締め部２２の外周は胴部１９とほぼ同径にしており、そのため巻き締め部２２のすぐ上は、環状凹部２４となっている。
【００１６】
前記回転台１２は、その巻き締め部２２と嵌合するリング状の回転部材３１と、回転部材３１の下方に配置されるリング状の支持部材３２と、両者の間に介在される複数のボール３３と、ボール同士の間隔を維持するリテーナ３４とからなる。
【００１７】
図２ｂに示すように、回転部材３１は筒状の外周壁３６と、その外周壁３６の内側に突出する円環状の押さえ部３７と、その押さえ部３７の上面から立ち上がる筒状の突起３８とを備えている。外周壁３６の上部と、押さえ部３７の上面と、突起３８とは、図１の容器１４の下端の巻き締め部２２と嵌合する嵌合溝を形成している。外周壁３６の上部の内面には、図１の容器１４の環状凹部２４と弾力的に係合する係合突起３９が突出している。係合突起は３９は周方向に連続していてもよく、所定の間隔で並ぶ独立した突起としてもよい。押さえ部３７の下面には、ボール３３が転動する環状溝４０が形成されている。その環状溝４０は転動面である。また外周壁３６の下部は、ボール３３を保護するための外筒である。
【００１８】
前記支持部材３２は、円環状の板体からなる底板４４と、その底部の内側に設けられる環状の段部４５と、段部の内端から立ち上がる内筒４６とを有する。段部４５の上面にはボール３３が転動する環状溝４７が形成されている。底板４４の外周は回転部材３１の外周壁３６より外側に突出している。回転部材３１の外周壁３６の下端は、回転台１２を組み立てた状態で段部４５よりも下がっており、外周壁３６の内面は、段部４５の外周面の外側に隙間を介して面している。さらに支持部材３２の内筒４６は回転部材３１の押さえ部３７より上方に延びており、その上端の外面には押さえ部３７の上面と隙間を介して係合する爪４８が設けられている。爪４８は、たとえば図２ａに示すように、円周上の４箇所に設けられている。それらの爪４８は外面をテーパ面として、回転部材３１の内側に挿入し易くしている。
【００１９】
前記回転部材３１および支持部材３２は、合成樹脂や金属などで成形することができる。合成樹脂の場合は軽量で錆の心配がない。また容器１４の巻き締め部２２と回転部材３１の嵌合溝との嵌合が密になる。なお支持部材３２の底板４４の底面に、すべり止めとして摩擦係数が高いシール４９を貼り付けたり、合成樹脂層を設けてもよい。それにより回転が速くなった場合でも、安定して回転することができる。なお、両面接着シートや粘着シートを貼り付けてもよく、その場合は床面などにしっかりと固定しうる。それらの場合は通常は剥離紙を貼着しておく。
【００２０】
前記ボール３３は通常のボールベアリングに用いる鋼球が好ましいが、他の金属製のボールでもよく、合成樹脂であってもよい。合成樹脂の場合は滑りをよくするために潤滑剤を合成樹脂に混合するのが好ましい。ボール３３の個数は特に限定はない。図２ａの場合は８個設けているが、３個以上であればよく、４〜１６個程度、とくに６〜１２個程度が好ましい。ボール３３に代えて、円柱状あるいは円錐台状のローラを用いてローラベアリングの構造としてもよく、また、針状のローラを用いてニードルベアリングのようにしてもよい。
【００２１】
前記リテーナ３４は図２ａに示すように、ボール３３が入る部位に貫通孔５０を設けた環状の板材であり、金属あるいは合成樹脂などで成形する。図２ａの場合は、貫通孔５０を設けた部位を補強するため、内側および外側にそれぞれ突出部５１を設けて他の部位に比して幅を広くしている。
【００２２】
上記のごとく構成される回転式エアゾール製品１０は、室内の床面などの上に置き、図１のボタン１７を押し下げる。そうするとボタン１７の係合片１７ａがカバー１７ｂの係合部１７ｃに係合して押した状態を維持し、ノズル１８からエアゾール組成物を噴出する。それにより反作用でエアゾール製品１１および回転部材３１はボール３３の列を転動させながら、噴出方向と反対方向に回転し始める。なおエアゾール組成物は、噴射孔が回転しながら噴出されるので、空間内に広範囲に拡散される。その場合、エアゾール製品１０の重量は巻き締め部２２にかかるが、その部分は複数のボール３３を介して支持部材３２によって支持されている。そのため安定して回転する。回転に伴って容器１４内のエアゾール組成物は重量減少しながら外周方向に移動したり揺れたりするが、広い範囲に分散しているボール３３の列が安定して支持することができる。エアゾール組成物の残量が少なくなるとエアゾール製品１０の重量が少なくなり、回転が速くなるが、その場合でも複数のボール３３で安定して支持することができる。
【００２３】
図３に示す回転台１２は、図２のものとほぼ同じであるが、支持部材３２の底板４４を省略している。なお、底板４４の外周を回転部材３１の外周壁３６の内側の寸法にしたと見ることもできる。この回転台１２は、回転部材３１の外周壁３６の外側に底板４４を突出させないので、段部４５の底面４５ａは外周壁３６よりわずかに下方に突出していればよい。そのため、回転台１２の高さを低くすることができ、外径も小さくすることができる。
【００２４】
図４ａに示す回転台１２は、支持部材３２の底板４４の外周縁に屈曲自在の支持片５２を立設している。支持片５２は支持部材３２に３〜６本程度一体に設ければよい。この回転台１２では、エアゾール製品を噴射させるときに、想像線で示すように支持片５２を外側に倒し、底面の差し渡しを増大させることにより、エアゾール製品の回転時の安定性を一層高くすることができる。図４ｂは支持片５２を樹脂ヒンジ５３で底板４４に連結し、下方に折り曲げたものである。このものも使用時には支持片５２を想像線のように展開して底面の拡がりを大きくすることができ、エアゾール製品の回転を安定化することができる。
【００２５】
図４ｃに示す回転台１２では、支持部材３２に別個に製造した支持台５４を装着している。そのような支持台５４は、たとえばエアゾール製品の包装用の紙箱の底部、さらに梱包用の段ボールなどを切り取って、皿状にしたものなどを使用しうる。また、小紙や合成樹脂シートで、折りたたんで組み立てることができるものを、回転台１２の補助材として添付ないし同梱しておくこともできる。
【００２６】
他方、図５ａに示す回転台１２では、底板４４の下面に滑り止めとして複数本のスパイク５５を突設している。このものは絨毬や畳などの床に対し、回転台１２の支持部材３２を滑らないように載置しうる。また図５ｂに示す回転台１２では、支持部材３２の底面に吸着盤５６を取り付けた場合を示している。このものはリノリウムタイルなどの平滑な床面に対して支持部材３２をしっかりと固定することができる。
【００２７】
図１に示すような回転式エアゾール製品１０では、ボタン１７を押した瞬間から噴射が開始し、回転台１２の回転も始まる。そのため使用者に噴霧された内容物（エアゾール組成物）がかかることがある。そのため、噴射操作した後、一定時間が経過してから噴射が始まる遅延噴射機構を設けるのが好ましい。遅延噴射機構としては、ボタンを押してステムを操作し、その状態にロックした後、噴射経路が開くまでに時間がかかるもの、タイムアップ後に自動的にボタンを押すものなど、従来公知の遅延噴射機構を採用することができる。
【００２８】
図６に示すエアゾール製品１１は、本発明の回転式エアゾール製品に好適に採用しうる簡易な構成の遅延噴射機構の実施形態を示している。この遅延噴射機構６０は、容器１４の上部に固定したシリンダ（スリーブ）６１と、そのシリンダ６１の外周に摺動自在に設けられるピストン６２と、そのピストン６２に一体的に設けられ、下端がステム１６に嵌合されると共に、先端が閉じて側面に噴孔６３を備えたノズル部材６４と、ピストン６２を下方に付勢するバネ６５と、そのバネに圧縮力を加えるように、ピストン６２およびノズル部材６４に対して上下動自在に設けられるボタン６６とを備えている。
【００２９】
ピストン６２とシリンダ６１とは実質的に気密に嵌合しており、ピストン６２には空気を通す小孔６７が形成されている。またボタン６５の下端には、バルブ１５のマウンティングカップを容器１４にクリンプするカール部６８、あるいはシリンダ６１のフランジ部６１ａと係合する係合爪６９が設けられている。シリンダ６１はマウンティングカップの内面と係合させておくことができる。係合爪６９およびそれと係合する部位はロック機構である。
【００３０】
上記のように構成される遅延噴射機構６０は、ボタン６６を押し下げても、ピストン６２とシリンダ６１の中の空気の圧力で、ピストン６２はただちには下降しない。そのためステム１６が下がらず、噴射が開始しない。そしてバネ６５を圧縮変形させた状態で、係合爪６９がカール部６８に係合する。
【００３１】
ついでバネ６５の付勢力でピストン６２が下降しようとする。そのため、ピストン６２とシリンダ６１内の空気は、小孔６７を通って外部に抜けていく。したがってピストン６２およびステム１６はゆっくりと下降していく。そしてステム１６の下降でバルブ１５が開いたときに初めて噴射が開始する。したがって、使用者は、ボタン６６を押し下げた後、ノズル部材６４からエアゾール組成物が噴出する前に、安全な位置に待避することができる。
【００３２】
この実施形態では、ノズル部材６４に対し、斜め下を向いた第１噴孔６３ａ、ほぼ水平を向いた第２噴孔６３ｂ、斜め上を向いた第３噴孔６３ｃの３個の噴孔が設けられており、それらは半径方向の内側から外側に向かって順に配列されている。そして噴射が始まると、３個の噴孔から一斉に、空間の上方、下方、および中心帯に対し、広く噴射することができ、空間への拡散が均一化される。
【００３３】
なお図６のエアゾール製品１１の容器１４は、胴部１９と底部２３が一体の、いわゆるモノブロック缶であり、通常はアルミニウム製の缶である。そのため回転台１２の回転部材３１の上部はその形状に合わせて形成している。
【００３４】
図１の実施形態では、回転部材３１の押さえ部３７に支持部材３２の内側の爪４８を係合させる構造にしているが、たとえば図７ａに示すように、回転部材３１の側に爪４８を設け、支持部材３２の環状突起７０に隙間を介して係合させるようにしてもよい。また、図７ｂに示すように、回転部材３１の下端に環状突起７０を設け、支持部材３２の外周部に設けた爪４８と隙間を介して係合させるようにしてもよい。
【００３６】
図１などの実施形態ではノズルあるいは噴孔が１本あるいは１個である。また図６の場合は１本のノズルに３個の噴孔を設けている。しかしノズルの本数や噴孔の個数はそれらに制限されず、複数本あるいは複数個もうけることができる。ただし複数設ける場合は、回転中心まわりに軸対称に配置するのが好ましい。たとえば図７ｄに示す回転式のエアゾール製品１０では、３個のノズル１８が１２０度ごとに、いわば軸対称に設けられている。噴孔の向きは全て同じ向きである。このように軸対称に設けると、偏心している噴孔から噴射されるエアゾール組成物の反力の内、平行移動の成分が互いに相殺し、回転させようとする成分のみが残る。そのため、一層安定して回転し、転倒したり、一方向に移動するおそれが少ない。
【００３７】
前記実施形態では、エアゾール製品として全量噴射型のものを示しているが、本発明の回転式エアゾール製品はそれに限らず、たとえば、一時的に車内やトイレに消臭剤を噴霧するものなど、定量噴射型あるいは一定時間噴射型のものなどにも採用しうる。
【００３８】
本発明の回転式エアゾール製品は、前述のような構成であるため、エアゾール組成物の残存量に影響されず、安定して回転し、エアゾール組成物を空間内で広範囲に拡散させることができる。また、本発明の回転式エアゾール製品は、室内や車内などの空間、畳、絨毬、床、ソファ、カーテンなどに好適に用いられ、用途としては、殺虫剤、害虫忌避剤、消臭剤、芳香剤、殺菌剤などがあげられる。
【図面の簡単な説明】
【図１】  本発明の回転式エアゾール製品の一実施形態を示す一部切り欠き正面図である。
【図２】図２ａおよび図２ｂはそれぞれ本発明の回転式エアゾール製品に用いられる回転台の一部切欠き平面図および正面断面図である。
【図３】本発明の回転式エアゾール製品に用いられる回転台の他の実施形態を示す要部断面図である。
【図４】図４ａ、図４ｂおよび図４ｃはそれぞれ本発明の回転式エアゾール製品に用いられる回転台の他の実施形態を示す要部断面図である。
【図５】図５ａおよび図５ｂはそれぞれ本発明の回転式エアゾール製品に用いられる回転台の他の実施形態を示す要部断面図である。
【図６】  本発明の回転式エアゾール製品の他の実施形態を示す断面図である。
【図７】図７ａおよび図７ｂは本発明の回転式エアゾール製品のさらに他の実施形態を示す要部断面図であり、図７ｃは本発明の範囲外の形態を示す要部断面図であり、図７ｄは本発明の回転式エアゾール製品のさらに他の実施形態を示す平面図である。
【図８】  従来の回転台の一例を示す断面図である。
【符号の説明】
１０  回転式エアゾール製品
１１  エアゾール製品
１２  回転台
１４  容器
１５  バルブ
１６  ステム
１７  ボタン
１８  ノズル
１９  胴部
２０  巻き締め部
２１  ドーム
２２  巻き締め部
２３  底部
２４  環状凹部
３１  回転部材
３２  支持部材
３３  ボール
３４  リテーナ
３６  外周壁
３７  押さえ部
３８  突起
３９  係合突起
４０  環状溝
４４  底板
４５  段部
４６  内筒
４７  環状溝
４８  爪
４９  シール
５０  貫通孔
５１  突出部
５２  支持片
５３  ヒンジ
５４  支持台
５５  スパイク
５６  吸着盤
６０  遅延噴射機構
６１  シリンダ
６２  ピストン
６３、６３ａ、６３ｂ、６３ｃ  噴孔
６４  ノズル部材
６５  バネ
６６  ボタン
６７  小孔
６８  カール部
６９  係合爪
７０  環状突起
７１  ベアリング構造
【図１】
0004422312.tif 000002
【図２】
0004422312.tif 000003
【図３】
0004422312.tif 000004
【図４】
0004422312.tif 000005
【図５】
0004422312.tif 000006
【図６】
0004422312.tif 000007
【図７】
0004422312.tif 000008
【図８】
0004422312.tif 000009